(57)【特許請求の範囲】
【請求項１】
刈取部の前側に複数の引起ケースを立設させ、各引起ケース上部のゲート背面側に引起し用駆動ケースを設け、引起タインを装設させる前記の各引起ケースに前記駆動ケースから動力を伝えるコンバインにおいて、
前記刈取部を昇降支持する刈取フレームの前部には３軸フレームを連結させ、３軸フレームには刈取前フレームを連結させ、
前記駆動ケースから縦軸を下方に延設させ、縦軸下側に引起タインの駆動スプロケットを配設させると共に、引起し用駆動ケースに引起し用変速ケースを介して引起し用入力軸を連結させ、縦軸に対して前記入力軸を側面視で斜交させたコンバインであって、
前記刈取部を構成する穀稈用引起し構造は、前記刈取前フレームに設けた支柱に下端部背面を連結させた前記引起ケースと、前記刈取フレーム前部に連結した前記３軸フレームに下端部を連設した引起し用入力ケースと、同引起し用入力ケースの上端側に連結した前記駆動ケースとを備え、
同駆動ケースは、引起ケースに対して上方斜後方に離して設けて、前記引起し用変速ケースに連動連結した引起し用駆動軸を内挿させた左・右ケース及び、前記引起ケースと平行に延設させた複数の縦軸ケースと、同縦軸ケースの下端に前記駆動スプロケットを駆動するタイン軸を備えた下部ケース及び分岐ケースとを備え、
刈取る穀稈の長さによって、縦軸の長さを変更したり縦軸を脱着させることにより、駆動ケースの取付け高さを変更させて、前記穀稈用引起し構造を長い穀稈用引起し構造または、短い穀稈用引起し構造にし、
同長い穀稈用引起し構造または、短い穀稈用引起し構造は、引起ケースまたは、駆動ケースを共用にさせて、引起ケース下側と引起し用入力ケース下側との間隔と、引起ケースの後傾角度と、引起し用入力ケースの前傾角度とは同一に形成したことを特徴とするコンバイン。
【請求項２】
隣接する２条分の引起ケース後側で、２条分の駆動スプロケットに縦軸下側から動力を振分ける分岐ケースを設け、刈取部に設ける左右の穀稈搬送通路に対して沿うように、分岐ケースの左右外側形状を左右の穀稈搬送通路に略平行に形成することを特徴とする請求項１に記載のコンバイン。
【発明の詳細な説明】
【０００１】
【発明の属する技術分野】
本発明は穀稈を連続的に刈取って脱穀するコンバインに関する。
【０００２】
【発明が解決しようとする課題】
従来、刈取部の前側に複数の引起ケースを立設させ、各引起ケース上部のゲート背面側に引起し用駆動ケースを設け、引起タインを装設させる前記の各引起ケースに前記駆動ケースから動力を伝え、圃場の未刈り穀稈を前記引起タインによって引起して刈取る技術がある。しかし乍ら、収穫作業を行う場所または穀稈の品種などにより、刈取る穀稈の長さが著しく異なるから、長い穀稈は穂先が引起し用駆動ケースに接触し、稈折れまたは脱粒などの不具合が生じ易いと共に、長い穀稈に対応させて駆動ケースを高所に設ける場合、引起ケースと駆動ケースを連結する伝動部が必要になるが、前記伝動部のケースが穀稈搬送通路側に突出し、前記ケースに穀稈が当接して搬送姿勢が乱れたりケースが摩耗する等の不具合がある。また、上部が後傾している引起ケースの高位置に設ける駆動ケースに、上側を前傾させる引起し用入力軸を連結させることにより、引起ケースと前記入力軸の前後方向の設置幅が大きくなる不具合があると共に、前記入力軸の前傾角度を小さくして入力軸を垂直方向に起立させることにより、前後設置幅を縮少できるが、引起ケースを支える力が低減する不具合がある。上記のように、短い穀稈の引起し構造と、長い穀稈の引起し構造を各別に製造する必要があり、引起し構造の製造コストの低減、または軽量化、または穀稈の適正な搬送、またはコンパクト化などを容易に図り得ない等の問題がある。
【０００３】
【課題を解決するための手段】
然るに、本発明は、刈取部の前側に複数の引起ケースを立設させ、各引起ケース上部のゲート背面側に引起し用駆動ケースを設け、引起タインを装設させる前記の各引起ケースに前記駆動ケースから動力を伝えるコンバインにおいて、前記刈取部を昇降支持する刈取フレームの前部には３軸フレームを連結させ、３軸フレームには刈取前フレームを連結させ、前記駆動ケースから縦軸を下方に延設させ、縦軸下側に引起タインの駆動スプロケットを配設させると共に、引起し用駆動ケースに引起し用変速ケースを介して引起し用入力軸を連結させ、縦軸に対して前記入力軸を側面視で斜交させたコンバインであって、前記刈取部を構成する穀稈用引起し構造は、前記刈取前フレームに設けた支柱に下端部背面を連結させた前記引起ケースと、前記刈取フレーム前部に連結した前記３軸フレームに下端部を連設した引起し用入力ケースと、同引起し用入力ケースの上端側に連結した前記駆動ケースとを備え、同駆動ケースは、引起ケースに対して上方斜後方に離して設けて、前記引起し用変速ケースに連動連結した引起し用駆動軸を内挿させた左・右ケース及び、前記引起ケースと平行に延設させた複数の縦軸ケースと、同縦軸ケースの下端に前記駆動スプロケットを駆動するタイン軸を備えた下部ケース及び分岐ケースとを備え、刈取る穀稈の長さによって、縦軸の長さを変更したり縦軸を脱着させることにより、駆動ケースの取付け高さを変更させて、前記穀稈用引起し構造を長い穀稈用引起し構造または、短い穀稈用引起し構造にし、同長い穀稈用引起し構造または、短い穀稈用引起し構造は、引起ケースまたは、駆動ケースを共用にさせて、引起ケース下側と引起し用入力ケース下側との間隔と、引起ケースの後傾角度と、引起し用入力ケースの前傾角度とは同一に形成したことを特徴とするコンバインを提供せんとするものである。
【０００４】
また、隣接する２条分の引起ケース後側で、２条分の駆動スプロケットに縦軸下側から動力を振分ける分岐ケースを設け、刈取部に設ける左右の穀稈搬送通路に対して沿うように、分岐ケースの左右外側形状を左右の穀稈搬送通路に略平行に形成することとした。
【０００５】
【発明の実施の形態】
以下、本発明の実施例を図面に基づいて詳述する。図１は全体の左側面図、図２は同平面図であり、図中１は左右一対の走行クローラ２・２を装設するトラックフレーム、３は前記トラックフレーム１上側に架設する機台、４はフィードチェン５を左側に張架しかつ扱胴６及び処理胴７を内蔵している脱穀部、８は刈刃９及び穀稈搬送機構１０などを備える４条刈り用刈取部、１１は刈取フレーム１２を介して刈取部８を昇降させる油圧昇降シリンダ、１３は排藁チェン１４終端を臨ませる排藁カッタ、１５は脱穀部４からの穀粒を揚穀筒１６を介して搬入する穀物タンク、１７は前記タンク１５の穀粒を機外に搬出する籾受台、１８は運転操作部１９及び運転席２０を備える運転台、２１は運転席２０下方に設けるエンジンであり、連続的に穀稈を刈取って脱穀するように構成している。
【０００６】
さらに、図３及び図４に示す如く、大小５枚４条分の分草板２２間の未刈り穀稈を起立させる引起タイン２３を有する４条分の引起ケース２４と、引起された穀稈の株元側を掻込む４条分のスターホイル２５及び掻込ベルト２６と、掻込んだ穀稈株元を切断する刈刃９と、右側２条分の刈取穀稈を左斜め後方に搬送する右下部搬送チェン２７及び右上部搬送タイン２８と、左側２条分の刈取穀稈を後方の右下部搬送チェン２７及び右上部搬送タイン２８の送り終端位置近傍に合流させる左下部搬送チェン２９及び左上部搬送タイン３０と、前記右下部搬送チェン２７の送り終端に合流する４条分の刈取穀稈の株元側を受継ぎ搬送する縦搬送チェン３１と、前記縦搬送チェン３１の送り終端部に設けてフィードチェン５に適正姿勢で刈取穀稈を受継ぎ搬送する補助搬送チェン３２を、４条刈り用の前記刈取部８に備え、４条分の刈取穀稈を縦搬送チェン３１に受継ぎ合流させた後、フィードチェン５に供給して脱穀処理するように構成している。
【０００７】
また、扱深調節支点軸３３を有する搬送入力ケース３４を介して前記縦搬送チェン３１の送り始端部を刈取フレーム１２に取付けると共に、搬送入力ケース３４の支点軸３３を中心に縦搬送チェン３１の送り終端部を深扱乃至浅扱位置に揺動させ、補助搬送チェン３２の送り始端部に対し、縦搬送チェン３１の送り終端部を接離させ、扱胴６による穀稈扱深さを変更させるように構成している。
【０００８】
さらに、図５乃至図１２に示す如く、前記刈取フレーム１２基部を刈取支点軸３５に連結させ、刈取フレーム１２前部に３軸フレーム３６を連結させ、３軸フレーム３６に刈取前フレーム３７を連結させ、刈刃９及び分草板２２などを刈取前フレーム３７に設ける一方、刈取前フレーム３７に立設させる支柱３８に引起ケース２４下端部背面を連結させると共に、前記引起し用入力軸３９を内挿させる引起し用入力ケース４０と、前記引起し用駆動軸４１を内挿させる引起し用駆動ケース４２を設け、前記入力ケース４０下端を３軸フレーム３６に連結させ、立設させる前記入力ケース４０上端側に前記駆動ケース４２を配設させ、左右方向に略水平に延設させる前記駆動ケース４２に４条分の引起ケース２４上端部背面を固定させ、斜後方に傾倒する姿勢で引起ケース２４を立設させるもので、前記駆動ケース４２の駆動軸４１の動力を伝える駆動スプロケット４４と、多数の引起タイン２３を有するチェン４５を引起ケース２４に内設させる。
【０００９】
また、図６、図１３に示す如く、変速ケース４６と左右ケース４７・４８を駆動軸４１上に１列に連結させて前記駆動ケース４２を構成し、最左側の変速ケース４６に引起し用変速ギヤ４９を内設させ、入力軸３９と駆動軸４１を変速ギヤ４９によって連結させ、駆動ケース４２背面で運転席２０前方まで延設させる変速レバー５０によって変速ギヤ４９を切換えると共に、変速ケース４６と右ケース４８に縦軸ケース５１を介して下部ケース５２を夫々固定させ、左ケース４７に縦軸ケース５１を介して分岐ケース５３を固定させる。
【００１０】
また、前記の縦軸ケース５１内部の縦軸５４上端側を駆動軸４１にベベルギヤ５５連結させ、引起ケース２４背面に固定させる下部ケース５２及び分岐ケース５３のタイン軸５６に縦軸５４から動力を伝え、前記タイン軸５６上の各駆動スプロケット４４を介して４条分の各引起タイン２３のチェン４５を駆動するもので、図１０のように、縦軸５４の軸芯Ｌ１とタイン軸５６の軸芯Ｌ２を、側面視で略直交させ、各軸５４・５６を略９０度（直角）に配置させ、引起ケース２４と略平行に縦軸ケース５１を上方に延設させて引起ケース２４に対して駆動ケース４２を上方斜後方に離し、長い穀稈の通過を容易にしている。さらに、中央２条の引起ケース２４に固定させる分岐ケース５３に分岐軸５７を内設させ、縦軸５４に分岐軸５７をベベルギヤ５８連結させ、分岐軸５７両端に中央２条分のタイン軸５６をベベルギヤ５９連結させ、中央２条分の引起タイン２３を１本の縦軸５４によって駆動させ、中央２条分の引起ケース２４上部を１本の縦軸ケース５１に支持させ、駆動軸４１の動力を３本の縦軸５４に伝えて４条分の引起タイン２３を駆動させ、縦軸５４を４本設ける構造に比べて軽量化及び簡略化している。
【００１１】
上記から明らかなように、刈取部８の前側に複数の引起ケース２４を立設させ、各引起ケース２４上部のゲート６０背面側に引起し用駆動ケース４２を設け、引起タイン２３を装設させる前記の各引起ケース２４に前記駆動ケース４２から動力を伝えるコンバインにおいて、前記駆動ケース４２から縦軸５４を下方に延設させ、縦軸５４下側に引起タイン２３の駆動スプロケット４４を配設させると共に、引起し用駆動ケース４２に引起し用変速ケース４６を介して引起し用入力軸３９を連結させ、縦軸５４に対して前記入力軸３９を側面視で斜交させる。そして、例えば縦軸５４の長さを変更したり縦軸５４を脱着させることにより、刈取る穀稈の長さによって駆動ケース４２の取付け高さを変更させ、引起ケース２４または駆動ケース４２などを共用して長い穀稈用または短い穀稈用の引起し構造を構成させ、引起し構造の製造コストの低減並びに長い穀稈及び短い穀稈の適正な搬送などを図ると共に、前方の引起ケース２４下側と後方の入力軸３９下側の間隔を拡大させることなく、引起ケース２４の後傾角度並びに入力ケース４０及び入力軸３９の前傾角度を確保させ、長い穀稈用引起し構造のコンパクト化並びに前記入力軸３９及び入力ケース４０による引起ケース２４上側の支持力の確保などを図ると共に、ゲート６０の前後幅を大きくすることなく、ゲート６０によって変速ケース４６の前面及び上面側を覆い、引起ケース２４上部構造の前後幅をコンパクトに構成している。
【００１２】
また、隣接する２条分の引起ケース２４後側で、２条分の駆動スプロケット４４に縦軸５４下側から動力を振分ける分岐ケース５３を設け、２条分の引起ケース２４の引起タイン２３の駆動に１本の縦軸５４を共用させ、長い穀稈用の引起し構造の製造コストの低減並びに軽量化などを容易に図ると共に、図１２及び図１４に示すように、刈取部８に設ける左右の穀稈搬送通路６１・６２に対して沿うように、分岐ケース５３の左右外側形状面６３・６４を左右の穀稈搬送通路６１・６２に略平行に形成し、引起ケース２４後方に搬送される穀稈が分岐ケース５３に当接する不具合をなくし、長い穀稈の搬送乱れまたは分岐ケース５３の摩耗などを低減させ、長い穀稈の適正な搬送などを図る。
【００１３】
【発明の効果】
以上実施例から明らかなように本発明は、刈取部の前側に複数の引起ケースを立設させ、各引起ケース上部のゲート背面側に引起し用駆動ケースを設け、引起タインを装設させる前記の各引起ケースに前記駆動ケースから動力を伝えるコンバインにおいて、前記刈取部を昇降支持する刈取フレームの前部には３軸フレームを連結させ、３軸フレームには刈取前フレームを連結させ、前記駆動ケースから縦軸を下方に延設させ、縦軸下側に引起タインの駆動スプロケットを配設させると共に、引起し用駆動ケースに引起し用変速ケースを介して引起し用入力軸を連結させ、縦軸に対して前記入力軸を側面視で斜交させたコンバインであって、前記刈取部を構成する穀稈用引起し構造は、前記刈取前フレームに設けた支柱に下端部背面を連結させた前記引起ケースと、前記刈取フレーム前部に連結した前記３軸フレームに下端部を連設した引起し用入力ケースと、同引起し用入力ケースの上端側に連結した前記駆動ケースとを備え、同駆動ケースは、引起ケースに対して上方斜後方に離して設けて、前記引起し用変速ケースに連動連結した引起し用駆動軸を内挿させた左・右ケース及び、前記引起ケースと平行に延設させた複数の縦軸ケースと、同縦軸ケースの下端に前記駆動スプロケットを駆動するタイン軸を備えた下部ケース及び分岐ケースとを備え、刈取る穀稈の長さによって、縦軸の長さを変更したり縦軸を脱着させることにより、駆動ケースの取付け高さを変更させて、前記穀稈用引起し構造を長い穀稈用引起し構造または、短い穀稈用引起し構造にし、同長い穀稈用引起し構造または、短い穀稈用引起し構造は、引起ケースまたは、駆動ケースを共用にさせて、引起ケース下側と引起し用入力ケース下側との間隔と、引起ケースの後傾角度と、引起し用入力ケースの前傾角度とは同一に形成したことにより、刈取る穀稈の長さによって駆動ケースの取付け高さを変更でき、引起ケースまたは駆動ケースなどを共用して長い穀稈用または短い穀稈用の引起し構造を構成でき、引起し構造の製造コストの低減並びに長い穀稈及び、短い穀稈に適した搬送構造を容易に図ることができる。
また、長い穀稈用引起し構造をコンパクト化並びに、前記入力軸による引起し支持力の確保などを容易に図ることができる。
【００１４】
また、隣接する２条分の引起ケース２４後側で、２条分の駆動スプロケット４４に縦軸５４下側から動力を振分ける分岐ケース５３を設け、刈取部８に設ける左右の穀稈搬送通路６１・６２に対して沿うように、分岐ケース５３の左右外側形状６３・６４を左右の穀稈搬送通路６１・６２に略平行に形成するもので、２条分の引起ケース２４の引起タイン２３の駆動に１本の縦軸５４を共用でき、長い穀稈用の引起し構造の製造コストの低減並びに軽量化などを容易に図ることができると共に、引起ケース２４後方に搬送される穀稈が分岐ケース５３に当接する不具合を容易になくすことができ、長い穀稈の搬送乱れまたは分岐ケース５３の摩耗などを容易に低減でき、長い穀稈の適正な搬送などを容易に図ることができるものである。
【図面の簡単な説明】
【図１】全体の左側面図。
【図２】同平面図。
【図３】刈取部の側面説明図。
【図４】同平面説明図。
【図５】引起ケース部の側面説明図。
【図６】引起し用駆動ケース部の正面図。
【図７】同平面図。
【図８】下部ケースと分岐ケース部の平面図。
【図９】引起し駆動説明図。
【図１０】変速ケース部の断面側面図。
【図１１】分岐ケース部の断面側面図。
【図１２】分岐ケース部の断面平面図。
【図１３】変速ケース部の断面説明図。
【図１４】分岐ケース部の背面斜視図。
【符号の説明】
８    刈取部
２３  引起タイン
２４  引起ケース
３９  引起し用入力軸
４２  引起し用駆動ケース
４４  駆動スプロケット
４６  引起し用変速ケース
５３  分岐ケース
５４  縦軸
６０  ゲート
６１・６２  穀稈搬送通路
【図１】
0004980521.tif 000002
【図２】
0004980521.tif 000003
【図３】
0004980521.tif 000004
【図４】
0004980521.tif 000005
【図５】
0004980521.tif 000006
【図６】
0004980521.tif 000007
【図７】
0004980521.tif 000008
【図８】
0004980521.tif 000009
【図９】
0004980521.tif 000010
【図１０】
0004980521.tif 000011
【図１１】
0004980521.tif 000012
【図１２】
0004980521.tif 000013
【図１３】
0004980521.tif 000014
【図１４】
0004980521.tif 000015